(57)【要約】  本発明は、通信端末で複数のバンドに適合するように構成されている無線モジュールに関するものである。この無線モジュールは、アンテナに接続可能なアンテナポート（２）とトランシーバ（１１）の送信セクションに接続可能な入力ポートとを備える電力増幅モジュール（２）と、アンテナポートとトランシーバの受信セクションとに接続可能なフロントエンドモジュール（８）とを備え、電力増幅モジュールとフロントエンドモジュールは、アンテナポートを介して、複数の周波数バンド及び複数の変調バンドの少なくとも一方をカバーすることができる。【選択図】  なし
2009523338.tif 000002
【特許請求の範囲】
【請求項１】
マルチバンド無線モジュールであって、
アンテナに接続可能なアンテナポートとトランシーバの送信セクションに接続可能な入力ポートとを備える電力増幅モジュールと、
前記アンテナポートとトランシーバの受信セクションとに接続可能なフロントエンドモジュールとを備え、
前記電力増幅モジュールと前記フロントエンドモジュールは、前記アンテナポートを介して、複数の周波数バンド及び複数の変調バンドの少なくとも一方をカバーすることができる
ことを特徴とするマルチバンド無線モジュール。
【請求項２】
前記電力増幅モジュールは、フィルタ群と低周波数用の電力増幅器とを備える送信ブランチと、フィルタ群と高周波数用の電力増幅器とを備える送信ブランチとの少なくとも２つの送信ブランチを備える
ことを特徴とする請求項１に記載のマルチバンド無線モジュール。
【請求項３】
前記電力増幅モジュールの前記入力ポートは、複数のフィルタと、前記トランシーバから送信されるバンドを制御するためのスイッチ手段とを備える
ことを特徴とする請求項２に記載のマルチバンド無線モジュール。
【請求項４】
前記フロントエンドモジュールは、低周波数用のフィルタを備えるブランチと、高周波数用のフィルタを備えるブランチとの少なくとも２つのブランチを備える
ことを特徴とする請求項１に記載のマルチバンド無線モジュール。
【請求項５】
前記フロントエンドモジュールは、複数のフィルタと、前記トランシーバから送信されるバンドを制御するためのスイッチ手段を備える
ことを特徴とする請求項４に記載のマルチバンド無線モジュール。
【請求項６】
通信デバイスであって、
アンテナに接続可能なアンテナポートとトランシーバの送信セクションに接続可能な入力ポートとを備える電力増幅モジュールと、
前記アンテナポートとトランシーバの受信セクションとに接続可能なフロントエンドモジュールと
を有する無線モジュールを備え、
前記電力増幅モジュールと前記フロントエンドモジュールは、前記アンテナポートを介して、複数の周波数バンド及び複数の変調バンドの少なくとも一方をカバーすることができる
ことを特徴とする通信デバイス。
【請求項７】
当該通信デバイスは、携帯電話、ページャ、コミュニケータ、スマートフォン、電子オーガナイザあるいはＰＣカードである
ことを特徴とする請求項６に記載の通信デバイス。
【発明の詳細な説明】
【技術分野】
【０００１】
本発明の分野
本発明は、通信端末において、複数の帯域（バンド）に適合するように構成されている無線モジュールに関するものである。
【０００２】
従来技術
移動電話のような通信端末は、たいていは、１つの周波数帯域よりも多い帯域で通信することができ、かつＷＣＤＭＡ及びＧＳＭのような異なる送信方法を使用することができる、無線インタフェースが搭載されている。ＥＤＧＥ（グローバル展開用拡張データレート（Enhanced Data rates for Global Evolution））は、ＧＳＭデジタルセルラー電話システムとＴＤＭＡデジタルセルラー電話システムの拡張版であり、これは、３８４ｋｂｐｓまでのデータ送信を提供する。ＷＣＤＭＡ及びＥＤＧＥによって高速データレートをサポートするＷＥＤＧＥに対する既存のソリューションでは、異なる帯域、既存のＰＡ−電力増幅器（power amplifier）ソリューション、空間及びコストとの間での切替の高い複雑性のために、２つの帯域しか使用することができない。
【０００３】
本発明の要約
本発明は、ＲＦスイッチ、及び１つだけのアンテナポートを備える無線モジュールによって、４つのＧＳＭバンドと８つのＷＣＤＭＡバンドとのすべてをサポートするマルチバンド設計の実装を解決するものである。このソリューションは、最低限のものであり、そして、空間的な制約なしに、電話におけるＲＦスイッチと専用のＰＡソリューション（同一のＰＡモジュール内でのＧＳＭ、ＥＤＧＥ、ＷＣＤＭＡのマルチモード）によって、ＴＤＭＡとＣＤＭＡモード（同時ではない）の両方において、受信ＲＸと送信ＴＸの可能性をもたらすものである。
【０００４】
第１の構成では、本発明は、マルチバンド無線モジュールを提供する。このマルチバンド無線モジュールは、
アンテナに接続可能なアンテナポートとトランシーバの送信セクションに接続可能な入力ポートとを備える電力増幅モジュールと、
前記アンテナポートとトランシーバの受信セクションとに接続可能なフロントエンドモジュールとを備え、
前記電力増幅モジュールと前記フロントエンドモジュールは、前記アンテナポートを介して、複数の周波数バンド及び複数の変調バンドの少なくとも一方をカバーすることができる。
【０００５】
一実施形態では、前記電力増幅モジュールは、フィルタ群と低周波数用の電力増幅器とを備える送信ブランチと、フィルタ群と高周波数用の電力増幅器とを備える送信ブランチとの少なくとも２つの送信ブランチを備える。
【０００６】
好ましくは、前記電力増幅モジュールの前記入力ポートは、複数のフィルタと、前記トランシーバから送信されるバンドを制御するためのスイッチ手段とを備える。
【０００７】
一実施形態では、前記フロントエンドモジュールは、低周波数用のフィルタを備えるブランチと、高周波数用のフィルタを備えるブランチとの少なくとも２つのブランチを備える。
【０００８】
好ましくは、前記フロントエンドモジュールは、複数のフィルタと、前記トランシーバから送信されるバンドを制御するためのスイッチ手段を備える。
【０００９】
第２の構成では、本発明は、通信デバイスを提供する。この通信デバイスは、
アンテナに接続可能なアンテナポートとトランシーバの送信セクションに接続可能な入力ポートとを備える電力増幅モジュールと
前記アンテナポートとトランシーバの受信セクションとに接続可能なフロントエンドモジュールと
を有する無線モジュールを備え、
前記電力増幅モジュールと前記フロントエンドモジュールは、前記アンテナポートを介して、複数の周波数バンド及び複数の変調バンドの少なくとも一方をカバーすることができる。
【００１０】
この通信デバイスは、携帯電話、ページャ、コミュニケータ、スマートフォン、電子オーガナイザあるいはＰＣカードであっても良い。
【００１１】
実施形態の詳細説明
本発明は、通信端末に適している無線モジュールに関して説明する。この通信端末には、例えば、携帯電話、ページャ、コミュニケータ、スマートフォン、あるいは電子オーガナイザがある。本発明は、また、「ＰＣＭＣＩＡカード」、即ち、ポータブルコンピュータに無線トランシーバを接続するために使用されるＰＣカード（パーソナルコンピュータメモリカード国際協会による規格化されている、カリフォルニア州、サンノゼ）に組み込まれていても良い。本明細書は、本発明に関連する構成要素に着目するものとし、他の構成要素は標準的なものとすることができる。
【００１２】
一実施形態は、４つのＧＳＭ（ＧＰＲＳとＥＤＧＥの両方）バンドと８つのＷＣＤＭＡバンドを提供する最低限のソリューションを備える。
【００１３】
ここで、２５．１０１ＵＴＲＡＮ  ＦＤＤにおけるＷＣＤＭＡによって定義されているバンドは、以下の通りである。
【００１４】
−−−−−−−−−−−−−−−−−−−−−−−−−−−−−−−−−−−−−−
動作バンド  ｜        ＵＬ周波数          ｜        ＤＬ周波数
｜  ＵＥ送信、ノードＢ受信    ｜  ＵＥ受信、ノードＢ送信
−−−−−−−−−−−−−−−−−−−−−−−−−−−−−−−−−−−−−−
Ｉ        ｜  １９２０−１９８０ＭＨｚ  ｜  ２１１０−２１７０ＭＨｚ
−−−−−−−−−−−−−−−−−−−−−−−−−−−−−−−−−−−−−−
ＩＩ      ｜  １８５０−１９１０ＭＨｚ  ｜  １９３０−１９９０ＭＨｚ
−−−−−−−−−−−−−−−−−−−−−−−−−−−−−−−−−−−−−−
ＩＩＩ    ｜  １７１０−１７８５ＭＨｚ  ｜  １８０５−１８８０ＭＨｚ
−−−−−−−−−−−−−−−−−−−−−−−−−−−−−−−−−−−−−−
ＩＶ      ｜  １７１０−１７５５ＭＨｚ  ｜  ２１１０−２１８０*ＭＨｚ
−−−−−−−−−−−−−−−−−−−−−−−−−−−−−−−−−−−−−−
Ｖ        ｜    ８２４−  ８４９ＭＨｚ  ｜    ８６９−  ８９４ＭＨｚ
−−−−−−−−−−−−−−−−−−−−−−−−−−−−−−−−−−−−−−
ＶＩ      ｜    ８３０−  ８４０ＭＨｚ  ｜    ８７５−  ８８５ＭＨｚ
−−−−−−−−−−−−−−−−−−−−−−−−−−−−−−−−−−−−−−
ＶＩＩ    ｜  ２５００−２５７０ＭＨｚ  ｜  ２６２０−２６９０ＭＨｚ
−−−−−−−−−−−−−−−−−−−−−−−−−−−−−−−−−−−−−−
ＶＩＩＩ  ｜    ８９０−  ９１５ＭＨｚ  ｜    ９３５−  ９６０ＭＨｚ
−−−−−−−−−−−−−−−−−−−−−−−−−−−−−−−−−−−−−−
ＩＸ      ｜  １７５０−１７８５ＭＨｚ  ｜  １８４５−１８８０ＭＨｚ
−−−−−−−−−−−−−−−−−−−−−−−−−−−−−−−−−−−−−−
ＵＬ＝アップリンク
ＤＬ＝ダウンリンク
ＵＥ＝ユーザ機器
これらのバンドの内の８つのバンドに加えて、４つのＧＳＭバンドを網羅（カバー）するためには、無線モジュールは、通常、ハイグレード設計、膨大なコスト、大きな面積が必要となる。今日使用されている多くの設計は、これらの１２のバンドそれぞれにあるいは２つだけに対して、デュプレクサ群と電力増幅器であるＰＡ群を使用している。従来のスイッチ群は、ますます複雑になっている。
【００１５】
提案するソリューションは、面積を最小化し、コストを削減し、同一の無線周波数ＲＦモジュールで、あらゆるバンドの組み合わせのほとんどを使用する可能性をもたらすものである。
【００１６】
このソリューションは、ＧＰＲＳ（汎用パケット無線サービス）規格及びＥＤＧＥ／ＷＣＤＭＡ規格をカバーすることができる、電力増幅器（ローバンド（低帯域）及びハイバンド（広帯域）の両方）に基づいている。好ましくは、リニアモード（linear mode）と飽和モード（saturated mode）の両方において、同一のＰＡで、ＧＭＳＫ／８ＰＳＫ／ＱＰＳＫ／１６ＱＡＭ変調を使用して、信号を増幅することができる、いわゆるマルチモードＰＡが使用される。
【００１７】
図を参照して以下で説明されるＰＡモジュールであるＰＡＭにおいて、これらのＰＡ群を搭載することができる。
【００１８】
マルチバンド無線モジュールの実施形態が図１に示される。
【００１９】
無線モジュールは、トランシーバ１１と協働するように構成されていて、このトランシーバ１１は、ＥＤＧＥ変調、ＷＣＤＭＡ変調及びＧＭＳＫ変調を用いて信号を送受信することができる。このトランシーバは、いくつかのＬＮＡ（低ノイズ増幅器）ポートのそれぞれで受信されるＧＭＳＫ／８ＰＳＫ／ＱＰＳＫ／１６ＱＡＭ変調を復調することができるべきである。
【００２０】
トランシーバ１１は、電力増幅器モジュール１であるＰＡＭに接続されていて、このＰＡＭは、アンテナ接続用のアンテナポート２であるＡＮＴを有している。ダイプレクサ（diplexer）３は、ハイバンド（ＷＣＤＭＡ１、２、３、４、７、９、ＤＣＳ１８００及びＰＣＳ１９００、ブルートゥース、ＷＬＡＮ等）からローバンド（ＷＣＤＭＡ５、６、８及びＧＳＭ９００及び８５０）を分離して、２つのブランチ（branch）にするために使用される。
【００２１】
このようなダイプレクサは、約０．３ｄＢの挿入損失（insertion loss）と、実際のハイアイソレーション（high isolation）を適切に有していて、このハイアイソレーションは、ハーモニックス放射（高調波放射）（harmonics emission）とスプリアス発射（spurious emission）を最小化する。
【００２２】
アンテナポート１の後段には、２つのブランチ（分岐）が受信部ＲＸと送信部ＴＸとに分割されていて、これらは、２つのデュプレクサ４ａと４ｂによる、上述で定義されるようなローバンドとハイバンドの両方に対するものである。これらの２つのデュプレクサに対する要件は高くない。ローデュプレクサ４ａは、低挿入損失（推定最大値０．５ｄｂ）で、かつＴＸとＲＸとの間がそれほど高いアイソレーション（isolation）でない、ＴＸローバンド（８２４−９１５ＭＨｚ）とＲＸローバンド（８６９−９６０ＭＨｚ）とについてカバーすべきである。同一の要件を、ハイバンドデュプレクサ４ｂに適用する。このハイバンドデュプレクサ４ｂは、ＴＸハイバンド（１７１０−１９８０）ＭＨｚとＲＸバンド（１８０５−２１８０）ＭＨｚをカバーすべきである。
【００２３】
推定ＴＸ挿入損失は、すべてのＴＸモードにおけるＧＳＭ／ＥＤＧＥとＷＣＤＭＡに対して、最大約１ｄＢとなる。
【００２４】
アンテナポート２からの受信ブランチ（branch）群は、フロントエンドモジュールであるＦＥＭ８に接続されていて、このＦＥＭ８は、各ブランチに対して、スイッチ９ａと９ｂ、フィルタ１０を有している。これらは、ＷＣＤＭＡ５＆６／ＧＳＭ８５０とＷＣＤＭＡ８／ＧＳＭ９間のローＲＸバンドブランチと、ＷＣＤＭＡ３＆９／ＤＣＳ１８００、ＷＣＤＭＡ２／ＰＣＳ及びＷＣＤＭＡ４と１（上述のように定義されるＷＣＤＭＡバンド）間のハイＲＸブランチについて、スイッチングの可能性を可能にする。つまり、図示の実施形態では、ブランチ群上の受信信号は、１２の周波数／変調バンドに適合するように、スイッチ９ａ、９ｂによって、５つの周波数グループに分割される。
【００２５】
より低ノイズのローノイズ増幅器であるＬＮＡの入力（例えば、周波数／変調バンドの組み合わせそれぞれに対するＬＮＡ入力）を有するトランシーバに対して、よりハイグレードのスイッチを使用することもできる。
【００２６】
ＲＸスイッチ９ａ、９ｂは、好ましくは、ブロッキング（blocking：遮断）要件を満足するような、低挿入損失（典型的には、０．５ｄＢ）と１００ｄＢｍを下回る低相互変調歪みであるＩＭＤを有するべきである。
【００２７】
ローＲＸバンド用のスイッチ９ａ（スイッチ３）は単極（single pole）かつ２つのスループットを有するＳＰ２Ｔであり、ハイＲＸバンド用のスイッチ９ｂ（スイッチ４）は単極かつ３つのスループットを有するＳＰ３Ｔである。このＳＰ３Ｔは、３つの制御信号が、２つのスイッチ９ａ、９ｂに対して要求されることを意味する。
【００２８】
これらの制御信号は、ベースバンドプロセッサによってスイッチすることができる。例えば、ＧＳＭ／ＥＤＧＥ（ＴＤＭＡ）あるいはＷＣＤＭＡ  ＴＤＤ、つまり、時分割デュプレックスが使用される場合、システムは、同時に送受信することはなく、スイッチ群は、制御信号による受信あるいは送信の前に開閉されることになる。一方、ＷＣＤＭＡモード（ＣＤＭＡ−ＦＤＤ周波数分割デュプレックス）では、送受信は同時に実行され、スイッチは、指定のＲＸとＴＸパス（各ＷＣＤＭＡバンドについての）を開放させることになる。上述のシステムは、ＷＣＤＭＡ圧縮モードと非圧縮モードの両方を取り扱うことができる。この圧縮モードは、移動電話を、ＧＳＭモードにして、他の基地局から情報を読み出す、あるいはローミング用の他のＷＣＤＭＡ周波数をサーチすることを可能にする。非圧縮モードでは、ＷＣＤＭＡの動作が継続する。
【００２９】
ＲＸスイッチ９ａ、９ｂの後段には、バンド外で高減衰を獲得し、かつバンド内で低リップルを獲得するために、バンドパスフィルタ群１０（例えば、弾性表面波であるＳＡＷ（surface acoustic wave）、バルク超音波であるＢＡＷ（bulk acousitc wave）あるいはフィルムバルク音響共振器であるＦＢＡＲ（film bulk acoustic resonator））を使用する。このバンドパスフィルタ群１０は、ライン１３を介してトランシーバ１１の入力、好ましくは、トランシーバ１の受信セクションのＬＮＡ入力に接続されている。
【００３０】
ローバンド及びハイバンド、及びＬＮＡ入力に対する推定挿入損失は、最大４ｄＢとなる。
【００３１】
トランシーバ１１の送信セクションからの送信ＴＸブランチ群は、電力増幅モジュール１の入力ポートにおいて、ライン１２上のバッファ（不図示）を介する２つのスイッチに対する出力であり、この２つのスイッチは、ローバンド用のスイッチ７ａ（スイッチ１）と、ハイバンド用のスイッチ７ｂ（スイッチ２）である。
【００３２】
トランシーバは、ブローバンドＴＸバッファ群を使用することができる。このブロードバンドＴＸバッファ群は、上述のようなローバンドＴＸ（ＷＣＤＭＡ５、６＆８）＋ＧＳＭ８５０／ＧＳＭ９００のすべてに対するバッファと、（ＷＣＤＭＡ１、２、３、４、９）及びＤＣＳ１８００及びＰＣＳ１９００に対する他のＴＸバッファをカバーしている。
【００３３】
スイッチ７ａ、７ｂは、ＷＣＤＭＡを処理することができるようになる（これらのスイッチは、各バンドに対して閉じられるだけである）、あるいは、それらは、例えば、ＧＭＳＫ及び８ＰＳＫあるいはＷＣＤＭＡのようなＴＤＤ（時分割デュプレックス）に対してスイッチすることができる。
【００３４】
スイッチ７ａ、７ｂ（１、２）は、好ましくは、低挿入損失（推定最大０．６ｄＢ）のＲＦスイッチタイプ（ＣＭＯＳ、ＰＩＮダイオード、ＧａＡｓ等）である。
【００３５】
ローＴＸバンド用のスイッチ７ａ（スイッチ１）は単極（single pole）かつ２つのスループットを有するＳＰ２Ｔであり、ハイＴＸバンド用のスイッチ７ｂ（スイッチ２）は単極かつ３つのスループットを有するＳＰ３Ｔである。このＳＰ３Ｔは、３つの制御信号が、２つのスイッチ７ａ、７ｂに対して要求されることを意味する。図示の実施形態では、ライン１２上の送信信号は、１２の周波数／変調バンドに適合するように、スイッチ７ａ、７ｂによって、５つの周波数グループに分割される。
【００３６】
２つのスイッチ７ａ、７ｂの後段にはそれぞれ、２つのバンドパスフィルタを備えるフィルタバンク５ａと、３つのバンドパスフィルタを備えるフィルタバンク５ｂの２つのフィルタバンク（１出力、複数入力）が存在する（例えば、ＳＡＷ、ＢＡＷあるいはＦＢＡＲフィルタ）。
【００３７】
スイッチ７ａに後続するローバンドＴＸ用のフィルタバンク５ａは、一方のバンドパスフィルタでＷＣＤＭＡ５、６／ＧＳＭ８５０をカバーし、もう一方のバンドパスフィルタでＷＣＤＭＡ８及びＧＳＭ９００をカバーする。
【００３８】
スイッチ７ｂに後続するハイバンドＴＸ用のフィルタバンク５ｂは、１つ目のバンドパスフィルタでＤＣＳ１８００／ＷＣＤＭＡ３、４をカバーし、２つ目のバンドパスフィルタでＷＣＤＭＡ２／ＰＣＳ１９００をカバーし、３つ目のバンドパスフィルタでＷＣＤＭＡ１をカバーする。
【００３９】
好ましくは、フィルタバンク５ａ、５ｂは、バンド外で高減衰、かつバンドに渡って低リップルを有している。挿入損失は、鍵となる要素ではなく、極めて高くても良い。
【００４０】
フィルタバンク５ａ、５ｂの後段には、それぞれについて電力増幅器ＰＡ１とＰＡ２が存在する。ローＴＸバンド用の電力増幅器ＰＡ１は、上述の（ＷＣＤＭＡ５、６＆８）＋ＧＳＭ８５０／ＧＳＭ９００用であり、ハイＴＸバンド用の電力増幅器ＰＡ２は、（ＷＣＤＭＡ１、２、３、４、９）及びＤＣＳ１８００／１９００用である。
【００４１】
市場における既存の電力増幅器は、ＥＤＧＥ／ＧＭＳＫ規格とＷＣＤＭＡ規格の両方に適合している場合もある。
【００４２】
スイッチ群と電力増幅器群を備えるフィルタバンク分は、電力制御を含み得るＰＡモジュールソリューションとすることができる。
【００４３】
コントロールユニット１４（例えば、移動電話プロセッサ）は、制御信号を送信することによってスイッチ７ａ、７ｂ、９ａ、９ｂを制御する。特定の周波数／変調バンドは、所望の通信オペレータを選択しながらユーザによって選択されても良く、あるいは接続が確立する場合、あるいはハンドオーバ処理中等に、ネットワークから受信される制御情報に基づいてコントロールユニット内のソフトウェアによって自動的に設定される。
【００４４】
このソリューションは、今日使用される方法と同一の方法のスイッチングを使用しないで、１２のバンドの電話ソリューションの複雑性の度合を軽減する。従来技術のようなアンテナポートでのスイッチングに代えて、本願発明では、ＧＳＭ  ＴＤＤとＷＣＤＭＡの両方での送受信を可能にするトランシーバに近いモードでスイッチされる。その結果、１つのアンテナポートだけが必要とされ、これは、アンテナスイッチの複雑性を軽減する。
【００４５】
図面及び明細書では、本発明の実施形態を開示している。また、特定の用語が採用されているが、これらは、汎用的かつ説明的な意味で使用されているだけであって、限定を目的するものではない。例えば、いくつかのバンド、特定の無線周波数、及び変調方法は、変更することができる。本発明は、ハードウェア及びソフトウェアの適切な組み合わせによって実現されても良い。本発明の範囲は、請求項で説明される。
【図面の簡単な説明】
【００４６】
【図１】本発明の実施形態に従うマルチバンド無線モジュールの図である。
【図１】
2009523338.tif 000003
【手続補正書】
【提出日】平成19年11月16日(2007.11.16)
【手続補正１】
【補正対象書類名】特許請求の範囲
【補正対象項目名】全文
【補正方法】変更
【補正の内容】
【特許請求の範囲】
【請求項１】
マルチバンド無線モジュールであって、
アンテナに接続可能なアンテナポートとトランシーバの送信セクションに接続可能な入力ポートとを備える電力増幅モジュールと、
前記電力増幅モジュールの第１ブランチと第２ブランチとを介して、前記アンテナポートとトランシーバの受信セクションとに接続可能なフロントエンドモジュールとを備え、
前記電力増幅モジュールは、低周波数バンド用の前記第１ブランチと高周波数バンド用の前記第２ブランチを備え、
前記第１ブランチ及び前記第２ブランチはそれぞれ、受信ブランチと送信ブランチに分割するように構成されているデュプレクサと、自身の周波数バンド用の電力増幅器と、前記第１ブランチ及び前記第２ブランチそれぞれのブランチにおけるバンド用のスイッチに接続可能なフィルタバンクと備え、
前記第１ブランチ及び前記第２ブランチはそれぞれ、ダイプレクサを介して前記アンテナポートに接続可能であり、
前記電力増幅モジュールと前記フロントエンドモジュールは、前記アンテナポートを介して、複数の周波数バンド及び複数の変調バンドの少なくとも一方をカバーすることができる
ことを特徴とするマルチバンド無線モジュール。
【請求項２】
前記フロントエンドモジュールは、前記電力増幅モジュールの前記第１ブランチに接続可能な低周波数バンド用の第１ブランチと、前記電力増幅モジュールの前記第２ブランチに接続可能な高周波数バンド用の第２ブランチとを備え、
前記第１ブランチと前記第２ブランチはそれぞれ、低／高周波数バンド内の複数のバンド間をスイッチするためのスイッチを備える
ことを特徴とする請求項１に記載のマルチバンド無線モジュール。
【請求項３】
請求項１または２に記載の無線モジュールを備える通信デバイス。
【請求項４】
当該通信デバイスは、携帯電話、ページャ、コミュニケータ、スマートフォン、電子オーガナイザあるいはＰＣカードである
ことを特徴とする請求項３に記載の通信デバイス。
【国際調査報告】
2009523338.tif 000004
2009523338.tif 000005
2009523338.tif 000006